(57)【特許請求の範囲】
【請求項１】
周波数を掃引して受信可能な放送を検索するサーチ手段と、検索動作中に受信可能な放送が検出された場合に、押されたキーを判別するキー判別手段と、各チャンネルプリセットキーが示すプリセット番号に対応するプリセットチャンネルの周波数を格納するプリセットチャンネルメモリとを備え、
前記キー判別手段における判別の結果、チャンネルプリセットキーが押されていると判別された場合は、受信中の放送の周波数を前記押されたチャンネルプリセットキーと対応付けして前記プリセットチャンネルメモリに格納した後で検索動作を継続し、チャンネルプリセットキー以外のキーが押されていると判別された場合、もしくは所定時間内にいずれのキーも押されていないと判別された場合は、受信中の放送の周波数を前記プリセットチャンネルメモリに格納せずに検索動作を継続するとともに、
前記キー判別手段で判別されたチャンネルプリセットキーに対応するプリセット番号がプリセット済みである場合に、当該プリセット番号がプリセット済みである旨を表示手段又はスピーカによって表示することを特徴とするラジオ受信機。
【請求項２】
前記表示手段はプリセットされていないプリセット番号とプリセット済みのプリセット番号とを区別して表示することを特徴とする請求項１記載のラジオ受信機。
【請求項３】
前記表示手段はプリセットされていないプリセット番号の一覧を表示することを特徴とする請求項１記載のラジオ受信機。
【請求項４】
前記表示手段はプリセットされていないプリセット番号を強調表示又は点滅させて表示することを特徴とする請求項１記載のラジオ受信機。
【請求項５】
チャンネルプリセットキーのうち、プリセットされていないプリセット番号に対応するチャンネルプリセットキーを点灯又は点滅させることを特徴とする請求項１乃至請求項４のいずれかに記載のラジオ受信機。
【発明の詳細な説明】
【０００１】
【発明の属する技術分野】
本発明は、受信可能な放送局を検索してプリセットできるようにしたラジオ受信機に関する。
【０００２】
【従来の技術】
以下、従来の一般的なラジオ受信機について図と共に説明する。図５は従来のラジオ受信機の構成を例示するブロック図である。
図５に示すラジオ受信機３０において、ＦＭアンテナ１１が接続されたＦＭチューナ１３では、制御手段２１ｂから与えられたＦＭ選局信号により選局が行われ、ＡＭアンテナ１５が接続されたＡＭチューナ１７では制御手段２１ｂから与えられたＡＭ選局信号により選局が行われる。受信バンド切替手段１９は制御手段２１ｂから送出された受信バンド切り替え信号に基づき、各チューナから出力されるＦＭ放送またはＡＭ放送を選択し、選択した信号を増幅回路２９に出力する。増幅回路２９で増幅された信号の音響がスピーカ３１から出力される。
【０００３】
制御手段２１ｂにはプリセットチャンネルメモリ２３と、操作手段２５ｂと、表示手段２７ｂとが接続されている。プリセットチャンネルメモリ２３には、プリセットされた放送局を、プリセット番号と受信周波数とを対応付けしてプリセット番号ごとに定められた記憶領域に格納し、操作手段２５ｂは、ラジオ受信機３０の操作者がプリセット番号に対応付けされた選局ボタンを用いて選局を行ったり、その他の操作を行ったりするための操作手段であり、受信バンドの切替も操作手段２５ｂを介して行われる。表示手段２７ｂは、ラジオ受信機３０でプリセットされているプリセット番号、放送局名、放送周波数等を表示するとともに、現在選択されている受信バンドを表示する。
【０００４】
受信に先立って受信可能な放送局を自動的にプリセットするオートプリセット機能を有するＡＭ／ＦＭラジオ受信機では、通常複数の受信バンドの内の周波数の高い方の受信バンドであるＦＭ放送帯についてプリセットを行い、引き続き周波数の低い方の受信バンドであるＡＭ放送帯についてプリセットを行うようになっている。これらはオートプリセット機能と呼ばれ、受信周波数を所定の方向に掃引（スキャン）し受信可能な放送を検索するサーチ手段を用いて行われる。このサーチ手段は制御手段２１ｂとＦＭチューナ１３（又はＡＭチューナ１７）とにより構成されるが、周知の技術であるから詳細な説明は省略する。
【０００５】
図７は一般的なラジオ受信機におけるプリセット結果を例示する図である。オートプリセットの動作は、サーチ手段における周波数掃引器によりＦＭバンドの下限周波数から上限周波数へ向けて掃引（スキャン）が行われ、次にＡＭバンドの下限周波数から上限周波数へ向けて掃引が行われる。そして受信可能な放送局が検出されると、検出された放送局順にその周波数がプリセット番号１から番号順に最大プリセット番号までプリセットされる。
【０００６】
同図に示す例では、ＦＭ放送のプリセット番号１から６にはＦＭ放送の６つのデータが格納され、ＡＭ放送のプリセット番号１から６にはＡＭ放送の６つの放送局のデータが格納される。ＦＭ放送のオートプリセットでは、受信可能な放送としてＦＭ−Ａ局、ＦＭ−Ｂ局、ＦＭ−Ｃ局、ＦＭ−Ｄ局、ＦＭ−Ｅ局、ＦＭ−Ｆ局がこの順に検出され、この順にプリセット番号が付される。ＡＭ放送のオートプリセットでも同様に、受信可能な放送としてＡＭ−Ａ局、ＡＭ−Ｂ局、ＡＭ−Ｃ局、ＡＭ−Ｄ局、ＦＭ−Ｅ局、ＦＭ−Ｆ局がこの順に検出され、この順にプリセット番号が付される。
【０００７】
図６は従来例ラジオ受信機に係るオートプリセットの手順を示すフローチャートである。ここではＦＭバンドのオートプリセットを行うものとして説明する。図６において、ステップＳ６１ではオートプリセットキー（ＡＰキー）が押されたか否かを判別し、押されていればステップＳ６３へ進み、押されていなければこのフローを終了する。ステップＳ６３では、現在のプリセット番号、現在の受信バンドをメモリに一時退避させステップＳ６５へ進む。ステップＳ６５ではプリセット番号（ＰＳＮ）を０にセットしてステップＳ６７へ進む。
【０００８】
ステップＳ６７では受信周波数をＦＭバンドの下限周波数にセットしステップＳ６９へ進む。ステップＳ６９では、チューナのＰＬＬの周波数がロックするまで待ち、ステップＳ７１へ進む。ステップＳ７１では現在の電界強度等に基づいて受信可能か否かを判別し、受信ＯＫであればステップＳ７２へ進み、受信不可であればステップＳ７７へ進む。ステップＳ７２では、プリセット番号（ＰＳＮ）カウンタ値を１だけインクリメントし、ステップＳ７３では、カウンタ値に対応するプリセットチャンネルメモリエリア（プリセットチャンネルメモリの記憶領域）に受信した周波数を格納し、ステップＳ７５へ進む。
【０００９】
ステップＳ７５では、プリセット番号（ＰＳＮ）カウンタ値が用意されているＰＳＮのうちの最大値（例えば６）か否かを判別し、最大値であればこのフローを終了し、最大値でなければステップＳ７７へ進む。ステップＳ７７では受信周波数を１ステップ（例えば１００ｋＨｚ）高くしてステップＳ７９へ進む。ステップＳ７９では現在の周波数はＦＭバンドの上限値であるか否かを判別し、上限値であればこのフローを終了し、上限値でなければステップＳ６９へ進み、サーチ動作を継続する。
【００１０】
【発明が解決しようとする課題】
従来のラジオ受信機では前記したように、周波数の低い方から高い方へオートスキャンし、検出された受信可能な放送局は、検出された順にプリセット番号１からプリセット番号６までに夫々セットされ、その周波数がメモリに格納される。このため、最大プリセット番号（この例では６）にセットされた周波数よりも、さらに高い周波数に受信したい放送局があることがわかっていても、その放送局をプリセットすることが出来ないと言う問題があった。また、プリセット番号は受信できた順に与えられるため、オートプリセットが終了した後、操作者には受信したい放送局のプリセット番号が容易に分からないと言う問題があった。
上記した問題を回避するには、オートプリセット機能を利用せずに、手動操作によりプリセットを行う。手動操作によるプリセットでは、受信したい放送局を検索し、その放送局を受信できたときに、セットしたい番号のチャンネルプリセットキーを一定時間押し続けて行うが、この方法では手動操作の数が多く、プリセットに長時間を要すると言う問題があった。
【００１１】
本発明は上記問題点に鑑みてなされたものであり、その目的は、手動操作が少なく、且つ受信したい放送局を好みのプリセット番号でプリセットすることが可能なラジオ受信機を提供することである。
【００１２】
【課題を解決するための手段】
本発明のラジオ受信機は前記課題を解決するためになされたものであり、第１の発明は、周波数を掃引（スキャン）して受信可能な放送を検索するサーチ手段と、検索動作中に受信可能な放送が検出された場合に、押されたキーを判別するキー判別手段と、各チャンネルプリセットキーが示すプリセット番号に対応するプリセットチャンネルの周波数を格納するプリセットチャンネルメモリとを備え、前記キー判別手段における判別の結果、チャンネルプリセットキーが押されていると判別された場合は、受信中の放送の周波数を前記押されたチャンネルプリセットキーと対応付けして前記プリセットチャンネルメモリに格納した後で検索動作を継続し、チャンネルプリセットキー以外のキーが押されていると判別された場合、もしくは所定時間内にいずれのキーも押されていないと判別された場合は、受信中の放送の周波数を前記プリセットチャンネルメモリに格納せずに検索動作を継続するようにしたラジオ受信機である。
なお、前記プリセットチャンネルとは、プリセットされたチャンネルを指し、プリセットチャンネルの情報は、対応するプリセット番号とその周波数とを対応付けしてメモリに格納するか、或いは予めプリセット番号ごとに定められたメモリエリアに当該プリセットチャンネルの周波数が格納される。
【００１３】
第２の発明は、第１の発明のラジオ受信機において、表示手段をさらに備え、該表示手段はプリセットされていないプリセット番号とプリセット済みのプリセット番号とを区別して表示するようにしたラジオ受信機である。
【００１４】
第３の発明は、第１の発明又は第２の発明のラジオ受信機において、前記キー判別手段で判別されたチャンネルプリセットキーに対応するプリセット番号がプリセット済みである場合に、当該プリセット番号がプリセット済みである旨を表示画面又はスピーカによって表示するようにしたラジオ受信機である。
【００１５】
第４の発明は、第１の発明のラジオ受信機において、表示手段をさらに備え、該表示手段はプリセットされていないプリセット番号の一覧を表示するようにしたラジオ受信機である。
【００１６】
第５の発明は、第１の発明のラジオ受信機において、表示手段をさらに備え、該表示手段はプリセットされていないプリセット番号を強調表示又は点滅させて表示するようにしたラジオ受信機である。
【００１７】
第６の発明は、第１乃至第５の発明のいずれかのラジオ受信機において、チャンネルプリセットキーのうち、プリセットされていないプリセット番号に対応するチャンネルプリセットキーを点灯又は点滅させるようにしたラジオ受信機である。
【００１８】
【発明の実施の形態】
本発明のラジオ受信機は、受信可能な放送局をプリセットする機能を備えたラジオ受信機において、周波数を掃引（スキャン）して受信可能な放送局を検索し、受信可能な或る放送局が検出されたときに、操作者がチャンネルプリセットキーでプリセット番号を指定した場合は、当該プリセット番号と当該受信周波数とを対応付けしてメモリに格納してから、次の受信可能な放送局をサーチするようにしてプリセット動作を継続し、操作者がチャンネルプリセットキーでプリセット番号を指定しなかった場合、すなわちチャンネルプリセットキー以外のキーを押した場合又は所定時間内にいずれのキーも押さなかった場合は、当該受信周波数をメモリに格納せずに、次の受信可能な放送局をサーチするようにしてプリセット動作を継続するようにしたラジオ受信機である。
【００１９】
以下、本発明の実施例について図と共に説明する。図１は本発明ラジオ受信機の一例を示すブロック図である。図１に示す本発明ラジオ受信機１０と図５に示す従来例ラジオ受信機３０とで同一構成、同一作用の要素には同一の符号を付し、その説明を省略する。図１のラジオ受信機１０と図５のラジオ受信機３０との主たる違いは、図１のラジオ受信機ではチャンネルプリセットキー３５を有する操作手段２５と、キー判別手段３３とが制御手段２１に接続されている点である。ラジオ受信機１０も周波数掃引器を備えたサーチ手段を有するが、その図示は省略されている。
【００２０】
制御手段２１はマイクロプロセッサ（ＭＰＵ）とメモリとを有してラジオ受信機１０全体を制御する。キー判別手段３３は、操作者により押されたキーを判別する手段である。また、操作手段２５が備えるチャンネルプリセットキー３５は、受信可能な放送が検出された場合に、当該放送局をどのプリセット番号にセットするかを指定するためのキーであり、各チャンネルプリセットキーにはプリセット番号が表示されている。チャンネルプリセットキー３５は、受信時に受信局を選択するための選択キーとしても使用される。
【００２１】
図３は表示手段２７の一部と操作手段２５が配置されたラジオ受信機１０の正面パネルの一例を示す。
図３において、正面パネル２０には、表示画面２７Ｐや各種操作キーからなる操作手段２５が配置されている。表示画面２７Ｐは表示手段２７の表示画面であり液晶ディスプレイなどで構成される。チャンネルプリセットキー３５はプリセット番号を示すキーであり、１から６までが用意されている。ＰＳ４２は電源キーであり、Ｖｏｌ４３は音量調整用のボリュームであり、ＦＭ／ＡＭ４４は受信バンドをＦＭとＡＭとで切替えるためのキーである。また、ＡＰ４６は操作者がオートプリセットの開始及び終了を指示するためのＡＰキー、Ｃａｎｃｅｌ４７は、或る受信可能な放送局が検出されたときに、その放送局をプリセットしたくない場合に、操作者が押すキーであり、操作者がＣａｃｅｌキー４７を押すか、或いは押さなくても所定の時間が経過すると、受信中の周波数をメモリに格納せずに、次の受信可能な放送をサーチする。
【００２２】
図２は本発明ラジオ受信機に係るオートプリセットの手順を例示するフローチャートである。ここではＦＭバンドのオートプリセットを行うものとして説明する。図２において、ステップＳ１１では例えば、まだセットされていないプリセット番号の一覧を表示するなど、操作者がキー操作を行い易くするための表示を行ってステップＳ１３へ進み、ステップＳ１３では、操作者が押したキーがどのキーであるかを判別してステップＳ１５へ進む。ステップＳ１５ではオートプリセットモード（以下、ＡＰモードとも記す。）でないときにＡＰキーが押されたか否かを判別し、押されていればステップＳ１７へ進み、押されていなければステップＳ１９へ進む。
【００２３】
ステップＳ１７では受信周波数をＦＭバンドの下限周波数にセットし、ＡＰモードでオートプリセットを開始し、ステップＳ１９へ進む。ステップＳ１９では現在のプリセットモードがオートプリセットモード（ＡＰモード）か否かを判別し、ＡＰモードであればステップＳ２１へ進み、ＡＰモードでなければステップＳ１１（Ａ点）へ進む。ステップＳ２１では一定以上の電界強度で受信できたか否かを判別し、受信できた場合はステップＳ２３へ進み、受信不可であればステップＳ３５（Ｂ点）へ進む。
【００２４】
ステップＳ２３では、チャンネルプリセットキー（ＣＰＳキー）３５が押されたか否かを判別し、押されていればステップＳ２５へ進み、押されていなければステップＳ４１へ進む。ステップＳ２５では、押されたチャンネルプリセットキー（ＣＰＳキー）に対応するプリセット番号（ＰＳＮ）が既にプリセット済みであるか否かを判別し、プリセット済みであればステップＳ４５へ進み、まだプリセットされていなければステップＳ２７へ進む。ステップＳ４５では、押されたＣＰＳキーの番号が既にプリセット済みであることを、表示画面２７Ｐに表示するか、スピーカ３１により音声で表示して警告し、操作者にプリセット番号の再設定を促すべくステップＳ１１（Ａ点）へ戻る。ステップＳ２７では、押されたＣＰＳキーに対応するプリセット番号をプリセットチャンネルメモリ２３に格納し、ステップＳ２９では現在の受信周波数をプリセット番号と対応付けしてプリセットチャンネルメモリ２３に格納し、ステップＳ３１へ進む。
【００２５】
ステップＳ３１では全てのプリセット番号がプリセット済みであるか否かを判別し、プリセット済みであればステップＳ３３へ進み、まだプリセットされていないプリセット番号が残っている場合はステップＳ３５（Ｂ点）へ進む。ステップＳ３３では、ＡＰモードを解除してステップＳ１１（Ａ点）へ戻る。
【００２６】
ステップＳ２１からステップＳ３５へ進んだ場合は、ステップＳ３５で受信周波数を１ステップ（例えば１００ｋＨｚ）高くしてステップＳ３７へ進む。ステップＳ３７では現在の周波数はＦＭバンドの上限値であるか否かを判別し、上限値でなければステップＳ１１（Ａ点）へ戻り、上限値であればステップＳ３９でＡＰモードを解除してからステップＳ１１（Ａ点）へ戻る。
【００２７】
ステップＳ２３からステップＳ４１へ進むと、ステップＳ４１では、Ｃａｎｃｅｌキーが押されたか否かを判別し、押されていればステップＳ３５（Ｂ点）へ進み、押されていなければステップＳ４３へ進む。ステップＳ４３では、ステップＳ２３の処理からの経過時間（Ｗａｉｔ  Ｔｉｍｅ）が所定時間ｔｗより大きいか否かを判別し、大きい場合はステップＳ３５（Ｂ点）へ進み、大きくない場合はステップＳ１１（Ａ点）へ進む。
なお、オートプリセットモードで動作中に、操作者がＡＰキー４６を押したときは、割り込み処理でＡＰモードを解除し、ステップＳ１１（Ａ点）へ戻る。
【００２８】
また、ステップＳ１１の表示処理では、その時々で表示内容が異なるが、操作者が操作キーを押し易くするための情報を表示する。例えば、オートプリセットモード（ＡＰモード）で動作中には、６つのチャンネルプリセットキー（ＣＰＳキー）（またはＣＰＳキーが示すプリセット番号）の一覧を表示し、セット済みの番号と、未セットの番号とで色を区別して表示したり、或いは未セットの番号の輝度を高めて強調表示したり、点滅させて表示したりすることにより、操作者は押すことのできるキーをより短時間で見分けたり、キーを押すことがより短時間でできるようになる。
【００２９】
また、プリセットされていないＣＰＳキー又はプリセット番号だけを一覧形式で表示するようにして、プリセットする番号をより速やかに選択できるようにしても良い。さらに、前記した強調表示を表示画面２７Ｐ上で行うのではなく、チャンネルプリセットキーのうち、プリセットされていないプリセット番号に対応するチャンネルプリセットキーを点灯又は点滅させるようにして行うこともできる。
【００３０】
図４は本発明ラジオ受信機に係るチャンネルプリセットの結果を例示する図である。前記したようにオートプリセットの動作は、サーチ手段における周波数掃引器によりＦＭバンドの下限周波数から上限周波数へ向けて掃引（スキャン）が行われ、次にＡＭバンドの下限周波数から上限周波数へ向けて掃引が行われる。図４に示す例では、受信可能な放送局として最初に検出されたＦＭ−Ａ局がプリセット番号１ではなく、操作者が選択したプリセット番号（ＰＳＮ）６にプリセットされる。
【００３１】
受信可能な放送局として次に検出されたＦＭ−Ｂ局はプリセットされず、さらにその次に受信可能な放送局として検出されたＦＭ−Ｃ局がプリセット番号（ＰＳＮ）２にプリセットされている。その後検出されたＦＭ−Ｄ局、ＦＭ−Ｅ局が夫々ＰＳＮ１、ＰＳＮ３にプリセットされている。プリセット番号４、５には夫々ＦＭ−Ｇ局、ＦＭ−Ｈ局がプリセットされている。ＦＭ−Ｇ局、ＦＭ−Ｈ局の周波数は図７に示すＦＭ−Ｆ局の周波数より高く、従来例のラジオ受信機ではプリセット出来なかった放送局である。
【００３２】
以上、詳細に説明したように、本発明を適用した実施の形態によれば、周波数をスキャンして受信可能な放送を検索中に、受信可能な放送が検出されると、操作者によって押されているキーが何のキーであるかがキー判別手段によって判別され、チャンネルプリセットキーが押されている場合は、受信中の放送の周波数が前記押されたチャンネルプリセットキーと対応付けしてプリセットチャンネルメモリに格納された後で、受信可能な放送の検索動作が継続され、チャンネルプリセットキーが押されていない場合は、受信中の放送の周波数を前記プリセットチャンネルメモリに格納せずに、受信可能な放送の検索動作が継続される。
【００３３】
これにより、操作者は少ない手動操作で、プリセットしたい放送局だけをプリセットしたい番号でプリセットすることができる。したがって、プリセットしたい放送局をプリセット出来ないという問題を解消でき、プリセット済みのプリセット番号とプリセットされている放送局との対応関係を操作者は容易に知ることができる。
また、操作者がチャンネルプリセットキーを押す際には、選択可能なプリセット番号を強調表示したり、或いは、プリセット済みのプリセット番号を操作者が再度押して選択したときに、警告表示を行うことにより、操作者はプリセット操作を短時間で容易に行うことができる。
なお、本発明に係るオートプリセット方法は、ラジオ受信機を含むオーディオ装置等へも適用可能であることは言うまでもない。
【図面の簡単な説明】
【図１】本発明ラジオ受信機の一例を示すブロック図である。
【図２】本発明ラジオ受信機に係るチャンネルプリセット方法の一例を示すフローチャートである。
【図３】表示手段の一部と操作手段が配置された本発明ラジオ受信機の正面パネルの一例を示す図である。
【図４】本発明ラジオ受信機に係るチャンネルプリセットの結果を例示する図である。
【図５】従来例ラジオ受信機の一例を示すブロック図である。
【図６】従来例ラジオ受信機に係るオートプリセットの手順を示すフローチャートである。
【図７】従来例ラジオ受信機に係るチャンネルプリセットの結果を例示する図である。
【符号の説明】
１３    ＦＭチューナ
１７    ＡＭチューナ
１９    受信バンド切替手段
２１    制御手段
２３    プリセットチャンネルメモリ
２５    操作手段
２７    表示手段
２９    増幅回路
３１    スピーカ
３３    キー判別手段
３５    チャンネルプリセットキー３５
【図１】
0003911395.tif 000002
【図２】
0003911395.tif 000003
【図３】
0003911395.tif 000004
【図４】
0003911395.tif 000005
【図５】
0003911395.tif 000006
【図６】
0003911395.tif 000007
【図７】
0003911395.tif 000008